(57)【要約】【課題】ＧＩＳシステムとＣＡＤシステム間で、属性情報を含む地図データベースの更新を可能にする。【解決手段】ＧＩＳシステム１は変更したい地図データベース１３をＣＡＤ形式に変更し、図形情報をＤＸＦファイル２１、属性情報をＣＳＶファイル２２に格納する。出力処理部１５は図形情報１３１と属性情報１３３に共通の図形名称を付与し、ＣＡＤシステム２に提供する。ＣＡＤシステム２は汎用ＣＡＤソフト２４でＤＸＦデータ、表計算ソフト２５でＣＳＶデータを変更し、ＣＡＤ向けファイル２０に返送する。入力処理部１６はＤＸＦファイル２１から図形情報を読み出してＧＩＳ形式に変換し、図形名称から求めた図形ＩＤ、属性ＩＤにより元の図形情報、属性情報との差分を行い、図形データベース１３を更新する。【選択図】  図１
2004334573.tif 000002
【特許請求の範囲】
【請求項１】
図形情報と属性情報を管理するＧＩＳシステムとＣＡＤデータの編集を行うＣＡＤシステムの間で変更するデータの交換を行うデータ交換方法において、
前記ＧＩＳシステムと前記ＣＡＤシステムの間で図形情報と属性情報を結びつけるキー情報を用いて、双方向にデータ変換を行うことを特徴とするＧＩＳシステムとＣＡＤシステムのデータ交換方法。
【請求項２】
請求項１において、
前記キー情報は、前記ＧＩＳシステムにおける図形情報と属性情報を結びつける図形ＩＤに対応する図形名称であり、前記ＣＡＤシステムにおける図形情報と属性情報の両方に前記図形名称を付与することを特徴とするＧＩＳシステムとＣＡＤシステムのデータ交換方法。
【請求項３】
請求項２において、
前記ＣＡＤシステムで編集された図形情報と属性情報からなるＣＡＤデータをＧＩＳデータに変換し、そのＧＩＳデータの図形名称から図形ＩＤと属性ＩＤを求め、それらのＩＤによって指定された前記ＧＩＳシステムの変換前後の図形情報と属性情報との差分情報をそれぞれ求め、これらの差分情報によって前記ＧＩＳシステムにおける図形情報と属性情報を更新することを特徴とするＧＩＳシステムとＣＡＤシステムのデータ交換方法。
【請求項４】
図形情報と属性情報を管理し、ＣＡＤシステムで編集されるデータとの交換を行うＧＩＳシステムにおいて、
前記図形情報と前記属性情報を結びつける図形ＩＤに対してキー情報を付与して前記図形情報と前記属性情報をＣＡＤ形式に変換する出力処理部と、前記ＣＡＤシステムで編集され前記キー情報を付与された図形情報と属性情報を、前記キー情報から前記図形ＩＤを介して検出された前記ＧＩＳシステムにおける変換前の図形情報及び属性情報とそれぞれ比較する入力処理部とを設けることを特徴とするＧＩＳシステム。
【請求項５】
請求項４において、
前記入力処理部は、前記比較による差分情報を抽出し、前記変換前の図形情報及び属性情報を更新する差分抽出部を有していることを特徴とするＧＩＳシステム。
【請求項６】
ＧＩＳシステムから変更を依頼する図形情報と属性情報を送信し、変更の依頼を受けたＣＡＤシステムでＣＡＤデータの編集を行ってＧＩＳシステムに返信するデータ交換方法において、
前記ＧＩＳシステムは前記図形情報と属性情報に同一の図形名称を付与して送信し、ＣＡＤシステムから受信した編集データに付与されている前記図形名称を用いて編集前の図形情報と属性情報を検索すると共に、前記編集データと前記編集前の図形情報及び属性情報との変更内容を確認することを特徴とするデータ交換方法。
【発明の詳細な説明】
【０００１】
【発明の属する技術分野】
本発明は、図形情報と属性情報を管理するＧＩＳシステムにおいて、データ編集を外部のＣＡＤシステムにて行う場合のデータ交換方式に関する。
【０００２】
【従来の技術】
従来のＣＡＤシステムは、直接管理可能な３次元情報や寸法情報に限って地図情報システム（ＧＩＳシステム）とのデータ交換が可能であった。このような公知例として特許文献１がある。
【０００３】
【特許文献１】
特開２００１−１０９８０１号公報（段落０００９−００１３、図２）
【０００４】
【発明が解決しようとする課題】
しかし、ＧＩＳシステムとＣＡＤシステムとの間では、ユーザ固有の属性情報を含めたデータ交換ができなかった。このため、人手によるデータ整合操作が必要で、データ更新の効率が悪かった。
【０００５】
本発明の目的は、ＧＩＳシステムにおけるデータ更新を効率よく行うために、図形情報と属性情報の結び付きを保持して、ＧＩＳシステムとＣＡＤシステムとの間のデータ交換方式を提供することにある。
【０００６】
【課題を解決するための手段】
上記目的を達成するための本発明は、図形情報と属性情報を管理するＧＩＳシステムとＣＡＤデータの編集を行うＣＡＤシステムの間で変更するデータの交換を行うデータ交換方法において、前記ＧＩＳシステムと前記ＣＡＤシステムの間で図形情報と属性情報の結び付けるキー情報を用いて、双方向にデータ変換を行うことを特徴とする。
【０００７】
前記キー情報は、前記ＧＩＳシステムにおける図形情報と属性情報を結び付ける図形ＩＤと対応する図形名称であり、前記ＣＡＤシステムにおける図形情報と属性情報の両方に前記図形名称を付与することを特徴とする。
【０００８】
前記ＣＡＤシステムで編集された図形情報と属性情報からなるＣＡＤデータをＧＩＳデータに変換し、そのＧＩＳデータの図形名称から図形ＩＤと属性ＩＤを求め、それらのＩＤによって前記ＧＩＳシステムの変換前後の図形情報と属性情報との差分情報をそれぞれ求め、これらの差分情報によって前記ＧＩＳシステムにおける図形情報と属性情報を更新することを特徴とする。
【０００９】
本発明のＧＩＳシステムは、前記図形情報と前記属性情報を結び付ける図形ＩＤに対してキー情報を付与して前記図形情報と前記属性情報をＣＡＤ形式に変換する出力処理部と、前記ＣＡＤシステムで編集され前記図形名称を付与された図形情報と属性情報を、前記キー情報から前記図形ＩＤを介して検出された前記ＧＩＳシステムにおける変換前の図形情報及び属性情報とそれぞれ比較する入力処理部とを設けることを特徴とする。
【００１０】
前記入力処理部は、前記比較による差分情報を抽出し、前記変換前の図形情報及び属性情報を更新する差分抽出部を有していることを特徴とする。
【００１１】
また本発明は、ＧＩＳシステムから変更を依頼する図形情報と属性情報を送信し、変更の依頼を受けたＣＡＤシステムでＣＡＤデータの編集を行ってＧＩＳシステムに返信するデータ交換方法において、前記ＧＩＳシステムは前記図形情報と属性情報に同一の図形名称を付与して送信し、ＣＡＤシステムから受信した編集データに付与されている前記図形名称を用いて編集前の図形情報と属性情報を検索すると共に、前記編集データと前記編集前の図形情報及び属性情報との変更内容を確認することを特徴とする。
【００１２】
【発明の実施の形態】
本発明の実施の形態について図面を参照しながら説明する。ＧＩＳシステムでは図形情報と属性情報の対応付けを一意なキー情報によって行う。一方、ＣＡＤシステムは図形情報に対してユーザが任意の図形名称を付与することが可能である。これら２つのシステムの特性から、図形情報と属性情報を結び付けるキー情報、すなわち図形名称を用いて、両情報の結び付きを保持したままで、ＧＩＳシステムとＣＡＤシステムの間で双方向のデータの変換が可能になる。
【００１３】
図１は、本発明が適用されるＧＩＳシステムとＣＡＤシステムを示し、ＧＩＳシステムにおけるデータ交換機能と、ＣＡＤシステムにおけるデータ作成機能を示す構成図である。ＧＩＳシステム１とＣＡＤシステム２は伝送装置３を介して情報をやり取りする。
【００１４】
ＧＩＳシステム１は、マウス１１やキーボード１２の操作を受付ける操作入力部１８と、操作入力の状態や地図を表示する図面表示部１９と、地図データベース１３とＣＡＤ向けファイル２０間のデータ交換機能部１４を設けている。データ交換機能部１４はファイルの受け渡しをする出力処理部１５、入力処理部１１６と、差分抽出部１７からなる。なお、ＧＩＳシステムとしての通常の機能は省略している。
【００１５】
地図データベース１３は道路などの地図を構成する図形情報１３１と、ＧＩＳシステム１で扱う文字情報である属性情報１３３と、図形情報１３１と属性情報１３３の対応関係を保持するグルーピング情報１３２からなる。
【００１６】
出力処理部１５は地図データベース１３を解析および形式変換し、ＣＡＤシステム２へ渡すためのＤＸＦファイル２１及びＣＳＶファイル２２を生成する。ＤＸＦファイル２１には地図の見た目である図形情報が変換出力され、ＣＳＶファイル２２には属性情報が変換出力される。
【００１７】
ＤＸＦファイル２１はＣＡＤシステム２でデータ交換に利用されるファイル形式である。ＣＳＶファイル２２はリレーショナルデータベースや表計算ソフトなど、文字列情報を扱うシステム間で情報の受け渡しをするのに利用されるファイル形式である。
【００１８】
入力処理部１６は、ＣＡＤシステム２から渡されたＤＸＦファイル２１およびＣＳＶファイル２２を読み込み、地図データベース１３へ格納する。このとき、差分抽出部１７は、格納前の地図データベース１３の内容と取り込んだＤＸＦファイル２１及びＣＳＶファイル２２の内容との比較に基づく差分抽出処理を行う。
【００１９】
ＧＩＳシステム１で変換したＣＡＤ向けファイルであるＤＸＦファイル２１とＣＳＶファイル２２は、伝送装置３を経由してＣＡＤシステム２へ送られる。このとき、フロッピー（登録商標）ディスクや光磁気ディスクなどの媒体を使用してファイルを転送してもよい。また、ＧＩＳシステムとＣＡＤシステムが１台のコンピュータ上に実装され、１つのディスク装置を経由してＤＸＦファイル２１およびＣＳＶファイル２２をやり取りすることも可能である。
【００２０】
ＣＡＤシステム２は、ＤＸＦファイル２１を扱う汎用ＣＡＤソフト２４とＣＳＶファイル２２を扱う表計算ソフト２５を備え、ＤＸＦファイル２１とＣＳＶファイル２２間の要素の対応関係を決める名前付け規則２３から構成される。ＤＸＦファイル２１とＣＳＶファイル２２はＧＩＳシステムのものとは別体であるが、一方のみに配置して他方に伝送する構成とすることも可能である。汎用ＣＡＤソフト２４と表計算ソフト２５はそれぞれファイル入出力部、操作入力部、表示部などからなる。
【００２１】
名前付け規則２３は、運用上の規則であり、特に、ＣＡＤシステム２にて図形や属性を追加する場合の規則である。ＧＩＳシステム１から出力された図形と属性であれば、ＤＸＦファイル２１の個々の図形情報に付加されるハンドル名と、ＣＳＶファイル２２の各行に格納され、図形ＩＤ１３１１と属性ＩＤ１３３１を組合わせた値が設定される。組合わせは文字数固定か、区切り文字（“，”カンマ）などで結び付け、文字列で表現し、図形情報２１１の図形名称２１１１および属性情報２２１の図形名称２２１１に格納される。
【００２２】
ＣＡＤシステム２において新規に作成した図形であれば、当該システムで規定した文字と通番を組合せ、“ＮＥＷ０００１”のような番号をＤＸＦファイル２１のハンドル名とＣＳＶファイル２２の各行に付加する。識別文字“ＮＥＷ”や、通番は、ＣＡＤシステム２のオペレータが管理・設定する。
【００２３】
この名前付け規則２３により、個別ソフトウエアである、汎用ＣＡＤソフト２４や表計算ソフト２５を利用した図面更新でも、図形と属性の関連を定義することが可能となる。
【００２４】
図２は、ＧＩＳシステム１にて扱う地図データの構成図で、地図データベース１３としてＧＩＳシステム１の記憶装置に格納される。図形情報１３１は、地図データを構成する図形を格納し、図形毎に付与される一意な図形ＩＤ１３１１、図形の種類（線、文字、記号など）を特定する図形種別１３１２、図形の表示属性（色、サイズなど）を表す図形属性１３１４を有している。また、図形種別１３１２毎に定められた詳細内容を格納する図形詳細情報１３１４から構成される。
【００２５】
属性情報１３３は、図形情報１３１に対してＧＩＳシステム１が管理する業務別の情報を格納する。すなわち、属性毎に付与される一意な属性ＩＤ１３３１、属性の種別を表す属性種別１３３２、各属性の詳細を格納する属性詳細情報１３３３から構成される。
【００２６】
グルーピング情報１３２は、図形情報１３１と属性情報１３３を結びつける情報を管理し、対となる図形と属性の図形ＩＤ１３２１、図形種別１３２２、属性ＩＤ１３２３、属性種別１３２４から構成される。
【００２７】
図３は、ＣＡＤシステム２にて扱うデータの構成を示している。ＧＩＳシステム１の地図データベース１３に対応し、汎用ＣＡＤソフト２４が扱うＤＸＦファイル２１と、表計算ソフト２５が扱うＣＳＶファイル２２からなる。
【００２８】
同図（ａ）のＤＸＦファイル２１には図形情報２１１が格納され、図形毎に一意な図形名称２１１１が付与され、各図形は、図形種別２１１２、図形属性２１１３、図形詳細情報２１１４より構成される。図形詳細情報２１１４は、図形の種別に応じて、構成点座標列や文字コード、記号番号などが格納される。
【００２９】
同図（ｂ）のＣＳＶファイル２２には属性情報２２１が格納され、表計算ソフトやテキストエディタで扱える、カンマ区切りのテキストファイル（ＣＳＶ）形式で保存される。属性情報２２１は、該属性が対応する図形情報２１１の図形名称２１１１に対応した図形名称２２１１と、属性ＩＤ２２１２、属性種別２２１３、属性詳細情報２２１４から構成される。属性詳細情報は、ＧＩＳシステム１が管理する情報に応じて、例えば配水管であれば管の口径や延長、敷設年度など業務別情報が格納される。
【００３０】
以上に説明した構成に基づいて、ある地方自治体において稼動するＧＩＳシステム１と、その地方自治体から工事を受注した工事業者において稼動するＣＡＤシステム２を例に、データ交換の動作を説明する。
【００３１】
図４はＧＩＳシステムとＣＡＤシステムの間でデータ交換を行うフロー図である。工事を発注する地方自治体は工事範囲について、出力処理（Ｓ１１）により、地図データベース３をＤＸＦファイル２１およびＣＳＶファイル２２に保存して、工事業者にファイル提供（Ｓ１２）を行う。工事業者は本ファイルを受け取り（Ｓ２１）、汎用ＣＡＤソフト２４および表計算ソフト２５により図面更新作業（Ｓ２２）、属性更新作業（Ｓ２３）をする。その後、ファイル提供（Ｓ２４）により、ＤＸＦファイル２１およびＣＳＶファイル２２として格納後、地方自治体へ両ファイルを返す。地方自治体では本ファイルを受け取り（Ｓ１３）、入力処理（Ｓ１４）によりＧＩＳシステム１へ更新された図形情報２１１、属性情報２２１を取り込む。
【００３２】
これにより、工事に伴い管理する地図データベース１３を更新することができ、地図データベース１３を更新する時間や手間を軽減できる。以下、各処理の詳細を説明する。
【００３３】
図５はＧＩＳシステムの出力処理（Ｓ１１）のフロー図である。ＧＩＳシステム１の操作入力部１８から出力範囲を指定（Ｓ１１１）し、対象図面を決定する（Ｓ１１２）。対象図面の全図形情報１３１に対して以下を繰り返す。図形情報１３１の図形ＩＤ１３１１からＣＡＤシステム２で扱う図形名称２１１１を付与（Ｓ１１３）し、図形詳細情報１３１４などをＣＡＤ形式に変換（Ｓ１１４）し、ＤＸＦファイル２１の図形情報２１１へ格納する。
【００３４】
次に、図形情報１３１に属性が付与されているかグルーピング情報１３２により判定（Ｓ１１５）し、無い場合は次の図形の変換処理に移る。対応する属性情報１３３が存在する場合は、属性情報１３３を提供形式であるＣＳＶファイル２１の属性情報２２１に変換し、格納する（Ｓ１１６）。
【００３５】
図６はＧＩＳシステムの入力処理（Ｓ１４）のフロー図である。ＣＡＤシステム２から提供された図形情報２１１と属性情報２２１について、以下の処理で地図データベース１３への変換、登録を行う。
【００３６】
ＤＸＦファイル２１の図形情報２１１に格納された図形単位に、ＧＩＳ形式変換（Ｓ１４１）を行う。このとき、図形情報２１１の図形名称２１１１を図形ＩＤ１３１１へ変換する。変換は、図形名称２１１１が固定文字数で組合わせたものか区切り文字で構成されるか異なるが、図形ＩＤと属性ＩＤに分割して文字列をＧＩＳシステム１で使用する形式（一般に数値）に変換する。図形名称２１１１が汎用ＣＡＤソフト２４で新規に登録したものかは、名前付け規則２３のルールにて判断する。新規であれば、ＧＩＳシステム１の内部処理で、新規図形ＩＤを採番する。
【００３７】
図形ＩＤ１３１１により、地図データベース１３から同一の図形ＩＤを持つ図形情報１３１、すなわち先に出力処理（Ｓ１１）でＣＡＤシステムに提供した図形情報を検索する。該当する図形が無ければ新規図形として、図形情報格納（Ｓ１４４）によりＧＩＳシステム１の主記憶装置１５０の図形格納情報１５２へ格納する。図形格納情報１５２は図形情報１３１へ図形を格納する場合に、図形情報格納（Ｓ１４４）により更新される更新の種別（新規登録か、更新か、変更無し）とＧＩＳ形式変換Ｓ１４１へ処理した全ての図形ＩＤ１３１１が格納される。
【００３８】
図形ＩＤ１３１１に対応する図形ＩＤが地図データベース１３に存在する場合は、ＧＩＳ形式変換（Ｓ１４１）した図形情報と元の図形情報を比較し、図形差分抽出（Ｓ１４３）する。差分情報があれば変更内容（座標移動、座標追加・削除、文字コード変更、記号番号変更など）と図形ＩＤ１３１１を図形差分情報１５１に登録後、図形情報格納（Ｓ１４４）を行う。図形情報格納（Ｓ１４４）は変更時に元の図形情報１３１を消去し、新しい図形情報１３１を登録する。新規の図形情報については図形情報１３１へ追加を行う。
【００３９】
次に、図形情報格納（Ｓ１４４）した図形の図形名称２１１１により、属性情報２２１の図形名称２２１１を検索する。該当する属性情報２２１が見つかった場合は、属性情報形式変換（Ｓ１４６）により属性情報２２１から属性情報１３３の形式へ変換を行う。変換した属性情報１３３の属性ＩＤ１３３１により元の属性情報１３３を検索し、属性差分抽出（Ｓ１４７）する。差分がある場合は、属性差分情報１５３に更新の種別と属性ＩＤ１３３１を登録し、属性情報格納１４８により属性情報１３３の元の属性情報１３３を消去後、新しい属性情報１３３を登録する。属性格納情報１５４には、登録した属性ＩＤ１３３１を格納する。
【００４０】
属性情報が検索できない場合は新規情報とし、属性差分情報１５３へ格納するとともに、属性情報格納（Ｓ１４８）により属性格納情報１５４へ属性情報を格納する。属性情報が検索できた場合は差分の有無や変更内容を属性差分情報１５３へ格納するとともに、属性格納情報１５４へ属性情報を格納する。属性差分情報１５３には、属性情報形式変換（Ｓ１４６）で処理した全ての属性ＩＤ１３３１が格納され、属性差分情報には、属性差分抽出で変更ありと判断した属性ＩＤと変更の合った属性詳細情報１３３３の内容を登録する。
【００４１】
一つのＤＸＦファイル２１の変換が終了した時点で、ＧＩＳシステム１の主記憶１５に格納された図形差分情報１５１、図形格納情報１５２、属性差分情報１５３、属性格納情報１５４を用いて、操作員に変更内容を知らせる。ここでは、変化図形強調表示（Ｓ１４９）と、変化属性一覧表示（Ｓ１４Ａ）を行う。さらに、不要図形と不要属性を削除する（Ｓ１４Ｂ）。図形格納情報１５２と図形情報１３１を比較し、図形格納情報１５２に登録されていない図形情報１３１と、属性格納情報１５４と属性情報１３３を比較し、属性格納情報１５４に格納されていない属性を地図データベース１３から削除する。
【００４２】
以上の手順により、ＣＡＤシステム２から更新または新規に提供される図形情報２１１、属性情報２２１は、ＧＩＳシステム１の地図データベース１３へ取り込まれる。
【００４３】
図７は、差分抽出処理のフロー図である。（ａ）は図形差分抽出（Ｓ１４３）の処理手順で、地図データベース１３から図形ＩＤ１３１１を検索キーとして元図形を検索（Ｓ１４３１）する。対応図形があるか判定（Ｓ１４３２）し、無い場合は差分情報に新規情報として登録（Ｓ１４３７）する。対応図形がある場合は、図形種別１３１２を判定（Ｓ１４３３）し、種別に応じて処理を分岐する。線図形の場合は、全構成点座標が同じ座標値であるか比較して差分判定（Ｓ１４３４）する。文字図形の場合は、文字の配置座標と文字列により差分判定（Ｓ１４３５）する。記号図形の場合は配置座標と記号番号により差分判定（Ｓ１４３６）する。この差分判定はＧＩＳシステム１が管理する図形情報１３１の内容に応じて判定条件の見直しが行われる。
【００４４】
（ｂ）は属性差分抽出Ｓ１４７の処理手順で、属性ＩＤ１３３１により元の属性情報１３３を検索（Ｓ１４７１）し、対応する属性の有無を判定（Ｓ１４７２）する。存在する場合は、属性情報１３３を構成する情報の全文字列を判定（Ｓ１４７３）し、不一致情報があれば差分情報登録（Ｓ１４７４）を行う。
【００４５】
図８は変化図形強調表示と、変化属性一覧表示の表示例である。（ａ）は変化図形強調表示の例で、ＧＩＳシステム１の図面表示部１９に対して、登録前表示Ｄ１１と登録後表示Ｄ１２の２画面により登録前後の地図を表示し、新規図形、変更図形、削除図形を強調表示する。登録後表示Ｄ１２の画面で、（イ）は変更のあった図形の表示例、（ロ）は削除された図形の表示例である。
【００４６】
（ｂ）は変化属性一覧表示の表示例で、属性情報１３３の変更点については、属性情報変更一覧Ｄ２により画面表示する。属性情報変更一覧は、変更の有った属性情報１３３の属性種別１３３２、属性ＩＤ１３３１、変更内容を一覧表にて表示し、操作員に知らせる。この変化点表示と属性情報変更一覧により、操作員は入力したＣＡＤシステム２の情報の確認を行う。
【００４７】
本実施例によれば、地方自治体などが運用するＧＩＳシステムにおいて、工事業者などのＣＡＤシステムによる地図データベースの更新が可能になる。従って、従来は自前またはオフラインで行われていたデータベースの更新作業がオンラインにより外注できるので、管理者側の作業を大幅に低減し、データ更新までの期間を短縮できる。また、工事業者側は、通常業務で使用するＣＡＤシステムを使用して地図データの更新を行うので、ソフトウエアやハードウエアの新たな追加投資が無く、図面更新業務の委託を受けることが容易になる。
【００４８】
図９および図１０は、本発明を適用したビジネスモデルとビジネスフローである。地図管理者Ｆ１は利用する地図の更新、利用を管理するもので、上述の実施例の地方自治体や、地図上に送電線を記述して管理する電力会社、電話線や光ファイバーケーブルなどの施設を管理する電話会社などが相当する。地図管理者Ｆ１の主体は業務用のＧＩＳシステムである。
【００４９】
請負業者Ｆ２は、地図管理者Ｆ１から施設の追加、変更などを請負うもので、請負範囲の地図を更新し、施設更新作業に伴う各種工事図面等を作成する。請負業者Ｆ２の主体はＣＡＤシステム２で、汎用ＣＡＤソフト２４や表計算ソフト２５を含んでいる。なお、地図管理者Ｆ１は回線Ｆ３を介して複数の請負業者Ｆ２と結ばれてもよい。
【００５０】
地図管理者Ｆ１は、請負業者Ｆ２に委託した業務に相応する地図を提供形式に変換する（Ｆ１１）。変換したデータ（ＤＸＦデータ、ＣＳＶデータ及び変更情報）には図形名称が付与され、請負業者Ｆ２に送付する（Ｆ１２）。送付する場合、専用ＬＡＮやインターネットなどの回線Ｆ３を利用している。
【００５１】
請負業者Ｆ２はデータを受けとると、ＤＸＦファイルをＣＡＤソフト２４を用いて読み込み（Ｆ２１）、ＤＸＦデータの更新作業（Ｆ２２）をＣＡＤソフト上で行う。また、ＣＳＶファイルを表計算ソフト２５を用いて読み込み（Ｆ２３）、ＣＳＶデータの更新作業（Ｆ２４）を表計算ソフト上で行う。更新したＤＸＦファイルとＣＳＶファイルは地図管理者Ｆ１へ転送（Ｆ２５）する。
【００５２】
地図管理者Ｆ１は請負業者Ｆ２からのデータをＧＩＳ形式に変換し（Ｆ１３）、図形名称を用いて元データを検索して変更内容を確認（Ｆ１４）し、その後、変更情報を地図データベースへ格納（Ｆ１５）する。
【００５３】
これによれば、地図管理者Ｆ１は変更したい業務内容をオンラインで請負業者Ｆ２に依頼できるので、頻度の高い更新作業であっても効率よく実施できる。地図管理者Ｆ１が多数の請負業者からデータ変更の見積りを取り、その結果にしたがってオンライン発注することも可能になる。また、ＧＩＳとＣＡＤのデータ交換は基本的に地図管理者側で行なわれるので、請負業者はＣＡＤシステムを変更する必要がなく、零細業者を含む多数の業者にとって使い勝手がよい。
【００５４】
【発明の効果】
本発明は、ＧＩＳシステムが自らの管理する地図データベースの更新をオンラインでＣＡＤシステムに依頼できるので、更新作業の低減や更新期間の短縮が可能になる。また、ＣＡＤシステムは更新のためのソフトウエア、ハードウエアの必要がないので、システム構築に係る費用を低減できる。
【図面の簡単な説明】
【図１】本発明の一実施例によるＧＩＳシステムとＣＡＤシステム間のデータ交換システムの構成図。
【図２】ＧＩＳシステムが管理する地図データベースの構成図。
【図３】ＣＡＤシステムが管理するＣＡＤデータファイルの構成図。
【図４】一実施例によるＧＩＳシステムとＣＡＤシステムのデータ交換の手順を示すフロー図。
【図５】ＧＩＳシステムからＣＡＤシステムへデータファイルを提供する出力処理のフロー図。
【図６】ＣＡＤシステムからＧＩＳシステムへデータファイルを取り込む入力処理のフロー図。
【図７】入力処理における差分抽出処理のフロー図。
【図８】図形情報および属性情報の差分表示の画面例。
【図９】本発明を適用したビジネモデル図。
【図１０】本発明を適用したビジネスフロー図。
【符号の説明】
１…ＧＩＳシステム、２…ＣＡＤシステム、３…伝送装置、１３…地図データベース、１３１…図形情報、１３２…グルーピング情報、１３３…属性情報、１４…データ変換機能部、１５…出力処理部、１６…入力処理部、１７…差分抽出部、２０…ＣＡＤ向けファイル、２１…ＤＸＦファイル、２２…ＣＳＶファイル、２３…名前付け規則、２４…汎用ＣＡＤソフト、２５…表計算ソフト、１５０…主記憶装置。
【図１】
2004334573.tif 000003
【図２】
2004334573.tif 000004
【図３】
2004334573.tif 000005
【図４】
2004334573.tif 000006
【図５】
2004334573.tif 000007
【図６】
2004334573.tif 000008
【図７】
2004334573.tif 000009
【図８】
2004334573.tif 000010
【図９】
2004334573.tif 000011
【図１０】
2004334573.tif 000012